(57)【要約】      （修正有）【課題】葺き替えの必要性が生じた屋根の葺き替え構造として、元の基本構造物を除去することなしに、遮熱防水性と共に軽量性、経済性及び作業性に優れた屋根葺き替え構造を提供する。【解決手段】瓦棒６及び鋼板（トタン）４等の元の基本構造物を除去することなくそのまま生かしながら、傾斜面１４付きの加工垂木１５及び瓦棒６、又は傾斜面付きの加工垂木と、野地板１８及び１９と、遮熱（防水）シート２０及び２１と、シングル材２２及び２３とをこの順に積層した積層構造物からなる。【選択図】図１
0003176950.tif 000002
【実用新案登録請求の範囲】
【請求項１】
屋根垂木上に少なくとも野地板及びフェルトがこの順に積層されてなる基本構造物を有する屋根を葺き替える構造であって、
前記基本構造物をそのままにして、この基本構造物上に、垂木、野地板、遮熱防水シ  ート及び屋根材がこの順に積層され、複数の前記垂木と前記野地板と前記基本構造物と  が空間を形成しており、
前記垂木のうち、雨樋に臨む軒先部分の上面が前記雨樋の方向に下方へより傾斜した  傾斜面に形成され、これに応じて、前記野地板、前記遮熱防水シート及び前記屋根材も  前記雨樋の方向に下方へより傾斜している
屋根葺き替え構造。
【請求項２】
前記垂木の軒先部分が、前記基本構造物の一部をなす垂木の切断除去部分に対し、別に作製された追加部分として連設されるか、或いは、前記基本構造物の一部をなすスレート上に新たに固定された垂木の一部分である、請求項１に記載した屋根葺き替え構造。
【請求項３】
前記垂木の一部分がその幅方向に欠除され、この欠除部を通して、隣接する複数の前記空間が連通し合っている、請求項１又は２に記載した屋根葺き替え構造。
【請求項４】
前記垂木の軒先部分の上面が長さ２００ｍｍ〜９００ｍｍに亘って３０°〜４５°の角度で下方へ傾斜しており、かつ前記空間の厚さが数１０ｍｍである、請求項１〜３のいずれか１項に記載した屋根葺き替え構造。
【請求項５】
前記基本構造物が、瓦棒屋根の垂木及びその上のカバー、又はスレートを更に含み、瓦屋根の場合には瓦を除去してなるものであり、また前記屋根材がガラスファイバー入りシングル材又はスレートからなっている、請求項１〜４のいずれか１項に記載した屋根葺き替え構造。
【考案の詳細な説明】
【技術分野】
【０００１】
本考案は、例えば雨漏り等により葺き替えの必要性が生じた屋根の葺き替え構造に関するものである。
【背景技術】
【０００２】
従来、家屋の屋根には、瓦棒屋根（トタン屋根）、スレート屋根、瓦屋根等、種々のタイプがあるが、図１３について瓦棒屋根の構造を例示する。
【０００３】
即ち、図１３（Ａ）にその外観図、図１３（Ｂ）にその分解図で示すように、家屋の天井部に所定の間隔で配される屋根垂木１（但し、その下部の各種構造材は図示省略。）上には、野地板２、フェルト３、垂木を鋼板５でカバーした瓦棒６、更には垂木間の鋼板（トタン）４が順次積層されている。
【０００４】
これらの部材は、その軒先部７に対向配置された雨樋８と、外壁９側の雨おさえ１０との間に配設されている。なお、雨樋８は軒先部（更には鼻かくし１２）に沿って配され、縦方向に雨水を導く雨樋１１を有している。
【０００５】
こうした屋根構造は、長期間の使用中に雨漏りが生じたり、また鋼板が外部熱を伝達し易くて屋根裏（言い換えれば室内）が熱くなってしまうので、新たに屋根を葺き替える必要がある。
【０００６】
屋根を葺き替えるには、これまで、上記した野地板２、フェルト３、鋼板４及び垂木内包の瓦棒６といった基本構造物をすべて除去した後、新たな野地板、フェルト、鋼板及び瓦棒を再施工していた。
【０００７】
しかしながら、これでは、作業効率が悪い上に、コスト高となってしまう。そこで、上記した基本構造物を除去することなしに葺き替えを可能にする方法が提案されているが、その一例として後記の特許文献１（特開平９−４９２９４号公報）に示された方法がある。
【０００８】
この公知の葺き替え（改修）方法によれば、瓦棒と瓦棒との間に、補強材を屋根板に固定した後、該補強材と瓦棒との上に硬質板を敷き詰めて固定し、該硬質板上に防水シートを敷設した積層構造物を形成している。
【考案の概要】
【考案が解決しようとする課題】
【０００９】
しかしながら、この公知の方法では、図１（Ａ）に一点鎖線で示すように、瓦棒を含めた上記の積層構造物１００は単に軒先まで敷設されていると思われるが、これでは、軒先での厚さ（即ち、高さ）が大きいために、雨水１０１がうまく雨樋８に入らず、こぼれ易くなる。このため、別の雨樋に取り替えるか、或いは取り付け位置を変更して、雨水を受け入れ易くする必要がある。
【００１０】
しかも、上記の積層構造物には、その上部に屋根材、例えば瓦棒付きの鋼板を敷設しておらず、屋根としての機能をなしていない。
【００１１】
本考案の目的は、屋根の基本構造物を除去することなしに葺き替えが可能であって、遮熱及び防水性、軽量性、経済性に優れ、しかも雨樋を取り替えなくても雨水を十分に受け入れることのできる軒先部を有する屋根葺き替え構造を提供することにある。
【課題を解決するための手段】
【００１２】
即ち、本考案は、屋根垂木上に少なくとも野地板及びフェルトがこの順に積層されてなる基本構造物を有する屋根を葺き替える構造であって、
前記基本構造物をそのままにして、この基本構造物上に、垂木、野地板、遮熱防水シ  ート及び屋根材がこの順に積層され、複数の前記垂木と前記野地板と前記基本構造物と  が空間を形成しており、
前記垂木のうち、雨樋に臨む軒先部分の上面が前記雨樋の方向に下方へより傾斜した  傾斜面に形成され、これに応じて、前記野地板、前記遮熱防水シート及び前記屋根材も  前記雨樋の方向に下方へより傾斜している
屋根葺き替え構造に係るものである
【考案の効果】
【００１３】
本考案によれば、屋根の前記基本構造物をそのままにして、この基本構造物上に、垂木、野地板、遮熱防水シート及び屋根材がこの順に積層され、複数の前記垂木と前記野地板と前記基本構造物とが空間を形成しているので、屋根の前記基本構造物をそのままにして（除去せずに）作業性良く作製できると共に、前記遮熱防水シートによる遮熱防水効果に加えて、前記空間に存在する空気によって断熱又は遮熱効果を一層向上させることができる。また、前記垂木、野地板、遮熱防水シート及び屋根材の積層体として軽量で低コストなものを使用でき、遮熱防水性に優れた軽量で低コストな葺き替え構造を提供することができる。
【００１４】
しかも、前記垂木のうち、雨樋に臨む軒先部分の上面が前記雨樋の方向に下方へより傾斜した傾斜面に形成され、これに応じて、前記野地板、前記遮熱防水シート及び前記屋根材も前記雨樋の方向に下方へより傾斜することになるので、前記屋根材上から雨樋へ雨水をうまく導入することができ、雨樋を取り替えたり、取り付け位置を変更する必要がない。
【図面の簡単な説明】
【００１５】
【図１】本考案の実施の形態による瓦棒屋根葺き替え構造の要部断面図（Ａ）（図８のＩＡ−ＩＡ線断面図；但し、ハッチングは省略）、同屋根葺き替え構造の要部断面図（Ｂ）（図８のＩＢ−ＩＢ線断面図）、同屋根葺き替え構造における垂木の変形例の要部斜視図（Ｃ）である。
【図２】同、瓦棒屋根葺き替え施工手順における垂木の部分除去を示す要部斜視図である。
【図３】同、瓦棒屋根葺き替え施工手順における斜め加工した加工垂木の取付けを示す要部斜視図である。
【図４】同、瓦棒屋根葺き替え施工手順における野地板張り（斜め部分）を示す要部斜視図である。
【図５】同、瓦棒屋根葺き替え施工手順における野地板張り完了を示す要部斜視図である。
【図６】同、瓦棒屋根葺き替え施工手順における遮熱（防水）シート敷設を示す要部斜視図である。
【図７】同、瓦棒屋根葺き替え施工手順におけるガラスファイバー入りシングル材張りを示す要部斜視図である。
【図８】同、瓦棒屋根葺き替え施工手順におけるガラスファイバー入りシングル材張り完了を示す要部斜視図である。
【図９】本考案の他の実施の形態によるスレート屋根葺き替え施工手順における加工垂木の取り付けを示す要部斜視図である。
【図１０】同、スレート屋根葺き替え施工手順における野地板張り完了を示す要部斜視図である。
【図１１】同、スレート屋根葺き替え施工手順における遮熱（防水）シート敷設完了を示す要部斜視図である。
【図１２】同、スレート屋根葺き替え施工手順におけるガラスファイバー入りシングル材張り完了を示す要部斜視図である。
【図１３】従来例による瓦棒屋根の要部斜視図（Ａ）、その分解斜視図（Ｂ）である。
【考案を実施するための形態】
【００１６】
本考案においては、前記垂木の軒先部分が、前記基本構造物の一部をなす垂木（例えば、瓦棒屋根を構成する鋼板カバー付きの垂木）の切断除去部分に対し、別に作製された追加部分として連設されるか、或いは、前記基本構造物の一部をなすスレート上に新たに固定された垂木の一部分であるのが望ましく、また実際的である。
【００１７】
また、前記垂木の一部分がその幅方向に欠除され、この欠除部を通して、隣接する複数の前記空間が連通し合っているのが、断熱及び遮熱効果を一層十分とする上で望ましい。
【００１８】
また、前記垂木の軒先部分の上面が長さ２００ｍｍ〜９００ｍｍに亘って３０°〜４５°の角度で下方へ傾斜しており、かつ前記空間の厚さが数１０ｍｍであるのが効果的である。
【００１９】
また、前記基本構造物が瓦棒屋根の垂木及びその上のトタン材、又はスレートを更に含み、瓦屋根の場合には瓦を除去してなるものであり、前記屋根材がガラスファイバー入りのシングル材又はスレートからなっていてよい。
【００２０】
以下、本考案の実施の形態を図面参照下に詳細に説明する。
【００２１】
図１〜図８は、本考案の第１の実施の形態による瓦棒屋根葺き替え構造における要部とその施工手順を示すものである（但し、図１３に示した従来例と共通する部分には共通符号を付して、その説明を省略することがある）。
【００２２】
まず、図２〜図８について、瓦棒屋根葺き替え手順を説明すると、図１３に示した従来例による瓦棒屋根において、図２に示すように、各瓦棒６のうちそれぞれの軒先部分を長さＬに亘って切断除去する。この切断除去部分は、鋼板カバー５及び内包された垂木１３を長さＬ（２００ｍｍ〜９００ｍｍ）の位置で長さ方向と直角に切断除去されたものである。なお、図面には、瓦棒６下にも鋼板４が存在するように概略図示したが、この部分には実際には既述したように垂木が存在している（以下、同様）。
【００２３】
次に、図３に示すように、別に用意した長尺状の角材（図示せず）の上面を上記Ｌの長さに亘って斜めに部分的に切断除去すると共に、長さ方向と直角に切断して、角度θの傾斜面１４付きの長さＬの加工垂木１５を作製する。この加工垂木１５を上記の各瓦棒６の切断端面にそれぞれ接合し、くぎ打ち１６等で固定する。
【００２４】
この場合、斜めに切断する長さや傾斜は、軒先位置及び雨樋８の取り付け位置を考慮して決めるが、上記の長さＬは２００ｍｍ〜９００ｍｍ、上記の傾斜角θは３０°〜４５°としてよい。なお、この加工垂木１５は、図中に破線で示すように長さＬの傾斜面１４に長さαに亘って一体に連設された矩形断面の連設部１７を有し、これが瓦棒６の切断端面と接合されるようにしてもよい。
【００２５】
次に、図４に示すように、上記の加工垂木１５の傾斜面１４上に、例えば２〜３本の垂木間に亘って、対応するサイズの野地板１８をくぎ打ち１６等で固定する。この野地板１８はコンクリート用パネル材（合板材）からなっていてよい（以下に述べる各野地板も同様）。なお、図面には、野地板の固定領域に対応する加工垂木１５又は瓦棒６の本数は複数本であればよく、あくまで概略図示している（以下、同様）。
【００２６】
次に、図５に示すように、加工垂木１５の傾斜面１４上と共に、上記の瓦棒６の上面に例えば３本の瓦棒間に亘って、対応するサイズの野地板１８と野地板１９をくぎ打ち１６等で固定し、野地板張りを完了する。
【００２７】
次に、図６に示すように、野地板１８、１９の形状に合わせて、遮熱（防水）シート２０、２１を野地板１８、１９上にそれぞれ固定する。この場合、各シート２０、２１は平坦面を呈するように平らにしながら固定すると共に、軒先側のシート２０上に幅Ｗ１（例えば１００ｍｍ）に亘って外壁側のシート２１を平行な状態で部分的に重ねるようにする。なお、これらの遮熱（防水）シートは市販品であってよいが、雨水は通さず、湿気は外部へ逃がせる浸湿性のあるものを使用するのがよい。
【００２８】
次に、図７に示すように、屋根材としてのガラスファイバー入りシングル材２２をシート２０上に固定する。このシングル材は市販品であってよいが、スレート等と比べて比較的軟質であるため、固定後に引張りを受けても元の形状、サイズに復元する性質があり、割れたりすることのない安定なものである。そして、屋根材としての耐久性、耐候性、防水性等を有していることは勿論である。このシングル材２２に代えて、スレートを固定することも可能である。
【００２９】
次に、図８に示すように、上記のシングル材２２と共に、外壁側のガラスファイバー入りシングル材２３をシート２１上に固定し、シングル材張りを完了して、葺き替え作業を終了し、葺き替え屋根２４を完成する。この場合、図７に一点鎖線で示すようにシングル材２２上にシングル材２３を幅Ｗ２（例えば１５０ｍｍ）に亘って部分的に重ねるように固定して雨水をスムーズに流下させるようにする。
【００３０】
なお、図８において、シングル材２３を固定する前に、外壁９と葺き替え屋根２４との間に、破線で示すすて谷２５（Ｌ字形の板金）をくぎ打ち等で固定しておく。その後、雨おさえ２６（板金）を屋根２４から１００ｍｍほどの高さに外壁面に沿って立ち上げ、くぎ打ち等で外壁９に固定する。雨おさえ２６の先端部は全長に亘ってコーキング処理をする。また、図示省略したが、この葺き替え屋根２４の側面は耐候性、耐久性のあるカバー材で覆うのがよい（以下、同様）。
【００３１】
以上に説明した施工手順によって作製された葺き替え屋根２４は、元の瓦棒６及び鋼板（トタン）４を除去することなくそのまま生かしながら、傾斜面１４付きの加工垂木１５及び瓦棒６と、野地板１８及び１９と、遮熱（防水）シート２０及び２１と、シングル材２２及び２３とをこの順に積層した積層構造物によって構成されている。
【００３２】
従って、この第１の実施の形態によれば、元の屋根の基本構造物をそのままにして（除去せずに）作業性良く作製できると共に、遮熱（防水）シート２０、２１による遮熱防水効果に加えて、図１（Ａ）に明示するように、複数の垂木１３、１５又は瓦棒６と野地板１８、１９と鋼板４との間に形成される空間２７に存在する空気によって断熱又は遮熱効果を一層向上させ、夏は涼しく、冬は暖かい屋根を実現することができる。
【００３３】
また、垂木１５及び瓦棒６、野地板１８及び１９、シート２０及び２１、屋根材２２及び２３の積層体として軽量で低コストなものを使用でき、遮熱防水性に優れる上に、軽量、低コストであって雨のたたく音も静かな葺き替え構造を提供することができる。また、遮熱（防水）シート２０、２１は外部からの雨水は通さず、内部の湿気を外部へ放出する性質があることや、シングル材２２及び２３は柔軟性があって割れにくいことも重要な付加的効果である。
【００３４】
この場合、図１（Ｃ）に示すように、瓦棒６の上面に長さ方向と直角に凹部２８を形成すれば、隣接する空間２７同士が凹部２８を介して連通し合うので、空間２７内の空気を屋根の面方向に逃がすことができ、断熱又は遮熱効果を更に向上させ、熱のこもり現象を緩らげることができる。
【００３５】
しかも、図１（Ａ）に示すように、垂木のうち、雨樋８に臨む軒先部分を加工垂木１５とし、その上面が雨樋８の方向に下方へより傾斜した傾斜面１４に形成され、これに応じて、野地板１８、遮熱（防水）シート２０及び屋根材（シングル材）２２も雨樋８の方向に下方へより傾斜することになるので、屋根材２３及び２２上から雨樋８へ雨水２９をうまく導入することができる。このため、従来のように雨樋を取り替えたり、取り付け位置を変更する必要がなく、そのまま使用できることは大きな利点である。なお、図１（Ａ）では、上記の鼻かくし等は図示省略し、要部のみを図示している。
【００３６】
図９〜図１２は、本考案の第２の実施の形態によるスレート屋根葺き替え構造の要部の施工手順を示すものである。なお、上述の第１の実施の形態と共通する機能又は構造を有する部分には共通符号を付して、その説明を省略することがある。但し、図面には、屋根の片側のみを図示するが、他の側も同様に施工する（図示及び説明は省略）。
【００３７】
まず、図９に示すように、葺き替えを必要とするスレート屋根３０の最上層のスレート３１の上面に、屋根頂部から雨樋８のある軒先部７にまで延びる加工垂木３５を所定の間隔でくぎ打ち１６等で固定する。この加工垂木３５は、長尺状の角材の先端部の上面を上述した加工垂木１５と同様に斜めに切断加工したものであって、傾斜面３４の長さＬ、傾斜角度θは上述したものと同様である。また、図示省略したが、加工垂木３５はそれぞれ１本としたが、複数個に切断加工した垂木を接合させてもよい。
【００３８】
次に、図１０に示すように、図４及び図５に示したと同様に、加工垂木３５の軒先部７の傾斜面３４上に、例えば２〜３本の加工垂木３５に亘って、対応するサイズの野地板１８をくぎ打ち等で固定し、更に屋根頂部側の加工垂木３５の上面にも、対応するサイズの野地板１９をくぎ打ち等で固定し、野地板張りを完了する。
【００３９】
次に、図１１に示すように、図６に示したと同様に、遮熱（防水）シート２０、２１を野地板１８、１９上にそれぞれ固定する。この固定に際しては、上述したように、両シート２０、２１を幅Ｗ１に亘って部分的に重ねて平らにしながら固定する。また、シート２１は実際には、屋根の片側から頂部、更には他の側にかけて連続して設けるのがよい。
【００４０】
次に、図１２に示すように、図７に示したと同様に、屋根材としてのガラスファイバー入りシングル材２２、２３をシート２０及び２１上に固定し、シングル材張りを完了する。この固定に際しては、シングル材２２及び２３間を幅Ｗ２に亘って部分的に重ね合せることは上述した通りである。但し、上部のシングル材２３上には一点鎖線で示す屋根頂部用のシングル材２３’を固定して屋根を完成する。
【００４１】
この第２の実施の形態によれば、元の屋根のスレート３１を除去することなくそのまま生かしながら、傾斜面３４付きの加工垂木３５と、野地板１８及び１９と、遮熱（防水）シート２０及び２１と、シングル材２２及び２３とをこの順に積層することによって葺き替え屋根４４を作製しているので、上述した第１の実施の形態と同様に、遮熱防水性、軽量性、経済性に優れ、かつ雨水を雨樋に十分に導入できる葺き替え屋根を作製することができる。
【００４２】
以上、本考案を実施の形態に基づいて説明したが、本考案は上述した例に何ら限定されるものではなく、考案の主旨を逸脱しない範囲で適宜変更可能であることは言うまでもない。
【００４３】
例えば、上述した屋根葺き替え構造に使用する屋根材は、上述のシングル材の代りにスレートを用いてもよい。また、瓦屋根の場合には、元の瓦を撤去した後、下地のフェルト上に、図９〜図１２に示した加工垂木の取り付け、野地板張り、遮熱（防水）シート敷設及びシングル材張りを行えばよく、或いは、その遮熱（防水）シート上にフェルト及び瓦の敷設を行うこともできる。
【００４４】
また、屋根材として、上述のシングル材又はスレート以外にも、場合によっては瓦を使用することも可能であるが、この場合には常法と同様に、上述の遮熱（防水）シート上にフェルトを取り付け、この上に瓦を取り付ければよい。
【００４５】
また、トタン屋根であっても上述した瓦棒を使用しないタイプでは、平坦な元の鋼板（トタン）上に、図９〜図１２に示した施工を行えばよい。
【００４６】
また、図１（Ｃ）に示した構造において、凹部２８のサイズや位置は種々であってもよいし、或いはその凹部に代えて瓦棒を幅方向に貫通した貫通孔を形成しても空間２７同士が連通し合うことができる。その他、上述した構造の各部の形状、サイズ、材質等は種々に変更してもよい。
【産業上の利用可能性】
【００４７】
本考案は、葺き替えの必要が生じた屋根の葺き替え構造として、遮熱防水性と共に軽量性、経済性及び作業性に優れた構造を提供することができる。
【符号の説明】
【００４８】
４…鋼板（トタン）、５…鋼カバー、６…瓦棒、７…軒先部、８…雨樋（軒先）、
９…外壁、１１…雨樋（縦方向）、１２…鼻かくし、１３…垂木、
１４、３４…傾斜面、１５、３５…加工垂木、１６…くぎ、１８、１９…野地板、
２０、２１…遮熱（防水）シート、２２、２３、２３’…シングル材、
２４、４４…葺き替え屋根、２５…すて谷、２６…雨おさえ、３１…スレート
【先行技術文献】
【特許文献】
【００４９】
【特許文献１】特開平９−４９２９４号公報（特許請求の範囲、明細書      段落番号［００１０］〜［００３９］、図面の［図１］〜［図３］）
【図１】
0003176950.tif 000003
【図２】
0003176950.tif 000004
【図３】
0003176950.tif 000005
【図４】
0003176950.tif 000006
【図５】
0003176950.tif 000007
【図６】
0003176950.tif 000008
【図７】
0003176950.tif 000009
【図８】
0003176950.tif 000010
【図９】
0003176950.tif 000011
【図１０】
0003176950.tif 000012
【図１１】
0003176950.tif 000013
【図１２】
0003176950.tif 000014
【図１３】
0003176950.tif 000015